(57)【要約】      （修正有）【課題】水質試験紙を比較的長期となる一定の期間、水中に安定した状態で維持することができるようにし、それにより時間をかけた精度の高い水質検査を行うことができる水質試験用ケースを提供する。【解決手段】側壁板、底板及び上板の６面の耐水性の有る平板で構成する外周部で囲繞して内側に立体形状の空間部８を形成し、外周部のいずれかを開閉自在としたケースにおいて、外周部を形成する各々の平板に複数個の貫通孔１１を設け、空間部には複数の穴明き棚板９を対向する側壁の内側壁間に架け渡し固定し、複数の穴明き部１２に水質試験手段ホルダー１４を設けて水質試験紙を空間部に着脱自在に固定する。【選択図】図５
0003207833.tif 000002
【実用新案登録請求の範囲】
【請求項１】
側壁板、底板及び上板の６面の耐水性の有る平板で構成する外周部で囲繞して内側に立体形状の空間部を形成し、該外周部のいずれかを開閉自在としたケースにおいて、該外周部を形成する各々の平板に複数個の貫通孔を設け、該空間部には複数の穴明き棚板を対向する側壁の内側壁間に架け渡し固定し、上記複数の穴明き部に水質試験手段を着脱自在に固定してなることを特徴とする水質試験用ケース。
【請求項２】
水質試験用ケースを河川、湖沼及び海のいずれかの水中の側壁面又は底面に固定させるために、底板に複数本の杭を着脱自在に設け、該杭は底板に対して垂直方向外方へ突出してなることを特徴とする請求項１記載の水質試験用ケース。
【請求項３】
水質試験用ケースを河川、湖沼及び海のいずれかの水中に浮遊維持させるために、上板又は側壁板に係着部を設けてなることを特徴とする請求項１又は２記載の水質試験用ケース。
【請求項４】
平板の貫通孔は、対向する側壁板相互及び底板と上板相互の平板において各々同一又は略同一の対向位置に設けてなることを特徴とする請求項１乃至３のいずれか記載の水質試験用ケース。
【請求項５】
水質試験手段は、棚板の複数の穴明き部に直接或いは試験紙ホルダーを介して着脱自在に固定してなることを特徴とする請求項１乃至４のいずれか記載の水質試験用ケース。
【請求項６】
水質試験手段は、水質分析用試験紙又は水質分析用ゲル状物質よりなり、水中の放射性物質、各種金属類及び汚染物質を捕集するものとしたことを特徴とする請求項１乃至５のいずれか記載の水質試験用ケース。
【考案の詳細な説明】
【技術分野】
【０００１】
本考案は、水質試験手段を入れたケースを河川、湖沼及び海等の水中に配設することにより該水質試験手段が水中に浮遊している放射性物質、各種金属類及び汚染物質等を捕集し、それらを調べることで水質検査をする水質試験用ケースに関するものである。
【背景技術】
【０００２】
近年、河川、湖沼及び海等における水質汚染は、昭和３０年代や４０年代の状態より改善してきているが、特定の地域における各種金属類やその他の汚染物質等及び東日本大震災により拡散された放射性物質等の存在により水質汚染は依然として続いている。
【０００３】
それら放射性物質、各種金属類及び汚染物質等（以下、便宜上単に汚染物質等という）を含んだ水を検査する場合、水を汲み取っての検査や水質試験紙を水中に短期間浸けておき、該水質試験紙の変化を確認することでの検査等が行われている。
【０００４】
例えば、下記する特許文献１のように、透明容器中に汚染物質等を含む被検水を吸い込ませ、該透明容器中に封入した試薬と反応させて発色の程度を目視して検査を行う形式のものが一般的であった。
【０００５】
また、上記短期間での検査に代えて比較的長期間にわたって検査する場合、水質試験手段を水中に浸しておくことが必要であるが、適切な場所において長期間にわたって安定した状態で該水質試験手段を維持させておくことは困難であった。
【先行技術文献】
【特許文献】
【０００６】
【特許文献１】実開昭和６１−２０６８６９号公報
【考案の概要】
【考案が解決しようとする課題】
【０００７】
そこで本考案は、上記欠点を解決したもので、水質試験手段を比較的長期間となる一定の期間、水中の所定場所に安定した状態で維持することができるようにし、それにより時間をかけた精度の高い水質検査を行うことができる水質試験用ケースを提供するものである。
【課題を解決するための手段】
【０００８】
本考案は、側壁板、底板及び上板の６面の耐水性の有る平板で構成する外周部で囲繞して内側に立体形状の空間部を形成し、該外周部のいずれかを開閉自在としたケースにおいて、該外周部を形成する各々の平板に複数個の貫通孔を設け、該空間部には複数の穴明き棚板を対向する側壁の内側壁間に架け渡し固定し、上記複数の穴明き部に水質試験手段を着脱自在に固定してなる水質試験用ケースを特徴とする。
【０００９】
また、上記水質試験用ケースを河川、湖沼及び海のいずれかの水中の側壁面又は底面に固定させるために、底板に複数本の杭を着脱自在に設け、該杭は底板に対して垂直方向外方へ突出してなる水質試験用ケースを特徴とする。
【００１０】
更に、上記水質試験用ケースを河川、湖沼及び海のいずれかの水中に浮遊維持させるために、上板又は側壁板に係着部を設けてなる水質試験用ケースを特徴とする。
【００１１】
また、上記平板の貫通孔は、対向する側壁板相互及び底板と上板相互の平板において各々同一又は略同一の対向位置に設けてなる水質試験用ケースを特徴とする。
【００１２】
更に、上記水質試験手段は、棚板の複数の穴明き部に直接或いは試験紙ホルダーを介して着脱自在に固定してなる水質試験用ケースを特徴とする。
【００１３】
また、上記水質試験手段は、水質分析用試験紙又は水質分析用ゲル状物質よりなり、水中の放射性物質、各種金属類及び汚染物質を捕集するものとした水質試験用ケースを特徴とする。
【考案の効果】
【００１４】
本考案の水質試験用ケースは、水流に対する抵抗を少なくすることで水質試験手段の河川、湖沼及び海等の水中における所定箇所での継続維持を良好とすることができ、長期間にわたり水中での汚染物質等の捕集が可能となった。
【００１５】
また、水質試験用ケースを簡単に水中側壁部や水中底部に着脱自在に固定することができ、更に、水中での浮遊維持することもでき、且つ、その位置を所定の決まった特定位置とすることが容易となり、同一の位置となる同一条件下で汚染物質等の検査が可能となった。
【００１６】
更に、水質試験用ケース内での水質試験手段の取り付け及び取り外しが容易で、検査のための取り出しや新規に固定するための据え付けを簡単に行うことが可能となった。
【図面の簡単な説明】
【００１７】
【図１】本考案の水質試験用ケースの一部切断平面図。
【図２】同水質試験用ケースの側断面図。
【図３】同水質試験用ケースの上方側を開放した平面図。
【図４】同水質試験用ケースの棚板に試験紙ホルダーを嵌合した平面図。
【図５】同水質試験用ケースの棚板に試験紙ホルダーを嵌合した側断面図。
【図６】（ａ）試験手段ホルダーの平面図、（ｂ）同垂直方向中央部の断面図、（ｃ）試験手段ホルダーの他の実施例の垂直方向中央部の断面図。
【図７】（ａ）水質試験用ケースを水中側壁部に固定した側面図、（ｂ）同水中底部に固定した側面図、（ｃ）同水中に浮遊させた状態の側面図。
【考案を実施するための形態】
【００１８】
以下、図面を参考に本考案を実施するための最良の形態についてその実施例を説明する。
【実施例１】
【００１９】
図１は、本考案の水質試験用ケース１の一部を切断した平面図、図２は、側断面図を示している。該水質試験用ケース１は、側壁板２、３、４、５、底板６及び上板７よりなる外周部を囲繞形成する貫通孔を設けた各々の平板、上記各平板によって囲まれることで内側に形成された立体形状の空間部８、該空間部８の対向する側壁板２、４及び側壁板３、５間に架け渡し固定した水質試験手段を保持する穴明き棚板９、並びに必要に応じて該底板６から垂直方向外方へ突出した複数本の着脱自在の杭１０とより構成されている。
【００２０】
側壁板２、３、４、５、底板６、上板７の各々の平板は、硬質ポリ塩化ビニル、テフロン（登録商標）、ステンレス等の耐水性に優れた強度の有る材料で形成し、各々の平板には複数個の貫通孔１１を形成している。また、側壁板２、３、４、５又は上板７のいずれかを開閉自在とすることにより空間部８内に水質試験手段１３の取着及び取り出しを行うことができる。例えば、各平板のいずれか一方側を軸着部とし、他方側を開閉部とし、該開閉部側を係着手段により本体となる水質試験用ケース１に強固の固定できるようにする。また、棚板９も上記と同様の材料で形成し、該棚板９には水質試験手段１３を固定するための穴明き部１２が複数個設けられている。
【００２１】
水質試験用ケース１を河川、湖沼及び海等の水中に配設した後、図４、５に示すように、水流（図の矢印方向）に抵抗を与えないために該貫通孔１１の形成位置を対向する側壁板２、４相互、側壁板３、５相互及び底板６と上板７相互間の横方向、縦方向、上下方向において各々同一又は略同一となる位置に設けている。
【００２２】
図４、５には、棚板９の穴明き部１２に水質試験手段１３を取着した一実施例を示している。該水質試験手段１３は、水質分析用試験紙或いはゲル状の材料等よりなるものとし、汚染物質等を捕集するもので、水質や捕集対象となる物質により適宜なものを選択することになる。
【００２３】
水質試験手段１３の保持の一実施例として、短寸法の筒状体よりなる試験手段ホルダー１４内に保持することができる。該水質試験手段１３には寒天状やゲル状のものもあり、それらを該試験手段ホルダー１４内に埋め込んで試験手段とすることができる。ゲル状の場合は、水流可能な薄片の開口部閉鎖手段を使用することになる。
【００２４】
該試験手段ホルダー１４は、図６（ａ）、（ｂ）に示すように、上端縁部に鍔部１５を有する筒状体とし、棚板９に形成した穴明き部１２内に嵌着或いは螺合できるようにし、該鍔部１５により該棚板９の表面側で係止させることが可能となる。
【００２５】
また、図６（ｃ）に示すように、試験手段ホルダー１４の筒状体の寸法を長くすることで上板７と嵌合又は螺合させることもでき、空間部８内での固定状態を強固とすることができる。
【００２６】
該水質試験手段１３は、可撓性の有るものやゲル状のものとすることにより該試験手段ホルダー１４の内側に詰め込むことができ或いは接着剤や筒状体の内側に形成した凹凸による係止等の係着手段により該試験手段ホルダー１４内に保持することが可能となり、また、取り出すことも可能としている。ゲル状のものを詰め込むときは、該試験手段ホルダー１４の両開口部側を薄片１６等で密封することになる。
【００２７】
該水質試験手段１３は、棚板９の表面側或いは裏面側に水流の方向を考慮しながら接着剤等により直接貼着することで取着或いは取り外しをすることもできる。
【００２８】
底板６の外部裏面側からは、垂直方向外方へ杭１０を着脱自在に突出形成することができる。該杭１０は、底板６の隅部や隅部を含む適宜箇所に複数本設けることで水質試験用ケース１を水中の所定の位置に強固に固定させることができる。
【００２９】
水質試験用ケース１を杭１０を利用して側壁部Ａに固定することにより、他の水質試験用ケース１とその固定位置となる水深や設置期間等の各種条件を統一化することができる。
【００３０】
また、底部Ｂにあっても、杭１０を介在物を介して高さを調整しての固定や該杭１０を螺合手段等により着脱自在とし、その長さを調整できるようにしておけば複数の水質試験用ケース１を設置した場合の水深位置を同一条件で固定することができる。更に、下記する浮遊させる場合のように、必要のないときは取り付けることを割愛することもできる。
【００３１】
水質試験用ケース１は、その上板７又は側壁板２、３、４、５に係着部１７を設けることにより吊り具となるロープ等の紐状体１８を取着することができる。該紐状体１８を利用して各種係留手段１９に支持させることにより河川、湖沼及び海等のいずれかの水中に浮遊状態で維持させることができる。
【００３２】
係留手段１９としては、図７（ｃ）のように、枠組したものに支持させたり、ブイや船等の浮き手段に連結させたり、浮きと重りを併用したものに連結させたり、上記枠組に代えてロープ等の係留索を利用する等の様々な態様が考えられる。これにより検査する最適となる箇所等において浮遊している汚染物質等を効率よく捕集することができる。
【００３３】
上記係着部１７は、該水質試験用ケース１の持ち運びのための把持手段としての役割を兼用させることができる。
【００３４】
上記により、一定期間、水中に維持させ続けることで汚染物質等を捕集することができ、水質試験用ケース１から水質試験手段を取り出した後、それらに捕集された各種汚染物質を適切な検査手段により分析検査することになる。
【符号の説明】
【００３５】
１              水質試験用ケース
２、３、４、５  側壁板
６              底板
７              上板
８              空間部
９              棚板
１０            杭
１１            貫通孔
１２            穴明き部
１３            水質試験手段
１４            試験手段ホルダー
１５            鍔部
１６            薄片
１７            係着部
１８            紐状体
１９            係留手段
【図１】
0003207833.tif 000003
【図２】
0003207833.tif 000004
【図３】
0003207833.tif 000005
【図４】
0003207833.tif 000006
【図５】
0003207833.tif 000007
【図６】
0003207833.tif 000008
【図７】
0003207833.tif 000009
【手続補正書】
【提出日】平成28年9月29日(2016.9.29)
【手続補正１】
【補正対象書類名】実用新案登録請求の範囲
【補正対象項目名】請求項１
【補正方法】変更
【補正の内容】
【請求項１】
側壁板、底板及び上板の６面の耐水性の有る平板で構成する外周部で囲繞して内側に立体形状の空間部を形成し、該外周部のいずれかを開閉自在としたケースにおいて、該外周部を形成する各々の平板に複数個の貫通孔を設け、該空間部には複数の穴明き部を設けた棚板を対向する側壁の内側壁間に架け渡し固定し、上記複数の穴明き部に水質試験手段を着脱自在に固定してなることを特徴とする水質試験用ケース。